(57)【特許請求の範囲】
【請求項１】
遊技盤面の取付孔に嵌め込まれる枠体に盤面部品の前側方へ向いて張り出され前記取付孔の所定位置に係止する合成樹脂製の弾性腕を設けてなる盤面部品であって、
前記弾性腕は、枠体が取付孔に嵌め込まれて撓むとき、その先端が枠体に設けた受止部または枠体の一部に突き当って規制され、前方向へ無用に伸びないように配設されていることを特徴とするパチンコ遊技機の盤面部品。
【発明の詳細な説明】
【０００１】
【発明の属する技術分野】
本発明は、遊技盤面に取り付けられる表示装置や風車等の盤面部品に関するものである。
【０００２】
【従来の技術】
従来、この種盤面部品の一つとして、例えば図１１に示すような表示装置が有る。該表示装置１００は、合成樹脂製からなりベース板１０１の前面上部に飾り部１０２が設けられ、裏面下部に前面を開口して液晶表示盤等の窓を構成する矩形状の枠体１０３が備えられている。そして、ベース板１０１の裏面上部に突設される枠体の一部である支持板１０４に表示装置１００の前側を向きベース板１０１に向って斜め上方に張り出す弾性腕１０５が設けられ、また枠体１０３の下縁には突壁１０６が設けられて構成される。１０７は遊技盤であり、該遊技盤１０７には取付孔１０８が貫設されている。また取付孔１０８の内周壁に一部拡径して段差部１０９が形成されている。
【０００３】
そこで、飾り部１０２を摘んで弾性腕１０５を取付孔１０８の開口縁に押付けて撓ませ、突壁１０６を押し込むと段差部１０９の角に突壁１０６が引っかかる。この状態で、さらに弾性腕１０５を押し込むと、その先端の爪部１１０が段差部１０９に至り弾性腕１０５が形状復元して爪部１１０が段差部１０９の角に係止し、これにより表示装置１００が取り付けられる。
【０００４】
【発明が解決しようとする課題】
ところで、前記弾性腕１０５は、支持板１０４から表示装置１００の前側を向きベース板１０１に向って斜め上方に張り出され、しかも合成樹脂製であることから、弾性腕１０５が、押し込まれるときともすると段差部１０９の角に強く押し付けられて前方向へ無用に伸び根本の部分から折れたり、押し込まれて段差部１０９の角に爪部１１０が当り引き伸ばされた状態でそのまま放置されると、正規の位置にセットされないばかりか過度の力が加わって弾性腕１０５がへたり最後には弾性力が失せてガタを生ずるといった課題が有った。
そこで、本発明は上記課題を解決するべくなされたもので、盤面部品を遊技盤の取付孔に嵌め込んで取り付けるに、弾性腕の折損やへたりを防止して新しいものと交換せねばならないといった無駄を無くし長期に亘り安定した状態で使用できるパチンコ遊技機の盤面部品を提供することを目的とするものである。
【０００５】
【課題を解決するための手段】
かかる目的を達成するため、本発明に係るパチンコ遊技機の盤面部品は、遊技盤面の取付孔に嵌め込まれる枠体に盤面部品の前側方へ向いて張り出され前記取付孔の所定位置に係止する合成樹脂製の弾性腕を設けてなる盤面部品であって、前記弾性腕は、枠体が取付孔に嵌め込まれて撓むとき、その先端が枠体に設けた受止部または枠体の一部に直接突き当って規制され、前方向へ無用に伸びないように配設されて構成される。
【０００６】
このように、弾性腕が配設されることにより、弾性腕が撓むときその先端が枠体に設けた受止部または枠体の一部に直接突き当って前方向へ無用に伸びないように規制されるので、盤面部品を取付孔に嵌め込んで取り付けるに、弾性腕が折れたりヘタリを生ずるようなことがない。
【０００７】
【発明の実施の形態】
以下、本発明に係るパチンコ遊技機の盤面部品の実施の形態を図面に基づき説明する。図１は本発明が適用される盤面部品、すなわち、入賞装置の表側から見た斜視図、図２は同裏側から見た斜視図、図３は同分解斜視図である。図中、Ａは合成樹脂製の入賞装置であり、取付基板１の中央に横長の開口２が形成され、該開口２に前側へ開閉自在に回動する開閉板３が装着される。また、前記取付基板１の前面に、開口２の両側に位置してパチンコ球を受け入れる受け口４，４が設けられている。
【０００８】
前記取付基板１の裏面には前記開口２を囲うように箱枠状の枠体５が形成されている。該枠体５は、取付基板１の裏面に突設される横長環状枠６と、前面が開放すると共に外周縁が前記横長環状枠６内に嵌合する箱体７とからなる。なお、該箱体７内には前記開口２から流入したパチンコ球を入賞処理するＶ入賞口と一般入賞口（共に図示せず。）とが配設される。
【０００９】
前記取付基板１の裏面には横長環状枠６の内周縁であって両側位置に後方へ突出する一対の突起８，８が設けられ、該各突起８，８の後端面に螺子孔９が穿設されている。一方、前記箱体７の裏壁７ａの両側に前記各突起８，８と対応位置して螺子挿通孔１０，１０が設けられ、裏側から各螺子挿通孔１０，１０を介して各螺子孔９，９にビス１１，１１を螺合することにより箱体７が横長環状枠６に嵌合して固着される。また、前記裏壁７ａの裏面両側は段差が設けてあり、その両側の所定個所にそれぞれ裏側へ突出する一対の保持突起１２，１２が配設され、該各保持突起１２，１２の後端面に螺子孔１３，１３が設けられている。
【００１０】
１４，１４は前記枠体５，すなわち箱体７の裏壁７ａ裏面の両側に取着され、後記する遊技盤Ｂに開設された取付孔２４裏側の外周縁に係止する係合部材である。該各係合部材１４，１４は、図４に示すように枠体５とは別個に形成され合成樹脂材からなり、しかも前記取付孔２４の縦幅よりやや大きい縦幅寸法に形成されている。そして、前記裏壁７ａと対向して配置される接合板部１４ａの上下両端に、箱体７の側壁外面に沿って配置されると共に枠体５の軸方向であって前側方に向きかつ側面弧状をなす一対の弾性腕１５，１５を有し、これら弾性腕１５，１５の先端外側面に外側を向く係止爪１６，１６が設けられている。該各係止爪１６，１６は側面略山形をなし、その内、裏側へ傾斜する前側面１６ａが前記取付孔２４裏側の外周縁に係止することとなる。
【００１１】
前記各接合板部１４ａには両側に前記裏壁７ａ裏面の段差に合わせて段差を持たせた支持片部１４ｂ，１４ｂが突設され、両支持片部１４ｂ，１４ｂに裏壁７ａに突設した両保持突起１２，１２と対応位置させて螺子挿通孔１７，１７が開設され、これら螺子挿通孔１７，１７を介して後側から前記各保持突起１２，１２の螺子孔１３，１３にビス１８，１８を螺締することにより両係合部材１４，１４が持着される。
なお、枠体５に対する係合部材１４の取付手段は、前記ビス１８締めに限定されるものではく、例えば図示は省略するが、保持突起１２の裏面に支持片部１４ｂの裏面で回転させて該支持片部１４ｂを係止する摘み片を設けるようにしても良い。
【００１２】
前記両弾性腕１５，１５の外側面には、それぞれ同じ高さ位置、すなわち接合板部１４ａの裏面から同じ高さ位置に段部１９，１９が設けられている。これは、遊技盤の組立過程において、入賞装置Ａを取付孔２４に嵌め込んで取り付けるべく仮固定するため枠体５を取付孔２４に一時的に臨ませたとき、前記段部１９，１９が取付孔２４の表側の外周縁に一時的に受け止められ安定し、この状態では入賞装置Ａは取付孔２４に対して傾きがなく、該取付孔２４に対して真っ直ぐ嵌入できるように配置するためである。
【００１３】
しかして、前記枠体５、詳しくは箱体７両側の上・下縁には図５に示すようにそれぞれ上下方向へ突出する受止部２０，２０が設けられる。該上・下の受止部２０，２０は、前記係合部材１４を取着したとき、各弾性腕１５，１５の係止爪１６先端がほとんど突き当るように配置されており、これにより枠体５を後記するように遊技盤Ｂの取付孔２４に嵌め込むとき、両弾性腕１５，１５が取付孔２４の内周壁により押されて撓んでも前方向へ無用に伸びないように規制される。
【００１４】
前記取付基板１の両側には、両受け口４，４に受け入れられたパチンコ球が流入する球入口２１，２１が設けられ、該各球入口２１，２１から流入したパチンコ球は誘導樋２１ａ，２１ａを介して後方へ排出されるようになっている。また、箱体７内には前記開閉板３をクランク機構（図示せず。）を介して開閉動作させるためのソレノイド２２が装着されている。また、２３は前記取付基板１の裏面適宜位置に突設される複数の位置決めピンである。
【００１５】
一方、遊技盤Ｂには、図６に示すように前記入賞装置Ａの枠体５の外径サイズよりやや大きい取付孔２４が貫設されている。また、遊技盤Ｂの前面であって取付孔２４の周囲に前記各位置決めピン２３が挿入される位置決め孔２５が複数設けられている。
【００１６】
次に、前記入賞装置Ａの取付手順を説明する。遊技盤Ｂは組立ライン（図示せず。）の上面に水平に配置される。そして、機械（図示せず。）または手で入賞装置Ａの枠体５を取付孔２４に嵌入固定する前に、図７に示すように作業者が手で入賞装置Ａを仮固定のため同図のように取付孔２４へ一時的に臨ませる。この際、両弾性腕１５，１５の外側面に設けられた各段部１９，１９が取付孔２４の前側の外周縁に一時的に受け止められる。これにより、入賞装置Ａは両側が均等に押し込まれたこととなり安定し、取付孔２４に対して真っ直ぐ嵌入できるように配置される。
【００１７】
そして、図８に示すように次の工程で入賞装置Ａを更に押し込み枠体５を取付孔２４内に嵌入させるときも、入賞装置Ａはそのまま傾くことなく押し込まれ、両段部１９，１９が取付孔２４の外周縁から外れて両弾性腕１５，１５が取付孔２４の内周壁２４ａに押されて内側に撓む。そして、係止爪１６，１６の頂部が取付孔２４の内周壁を摺接しつつ下動する。この際、両弾性腕１５，１５は内周壁２４ａに強く摺接することから、取付基板１側へ無用に伸びようとするも、弾性腕１５，１５の先端が各受止部２０，２０に突き当って規制される。よって、弾性腕１５，１５に過度の外力が加わるようなことがなくなり、折損が防止される。
【００１８】
更に入賞装置Ａを押し込むことにより、図９に示すように各係止爪１６，１６が取付孔２４から脱して両弾性腕１５，１５がその弾性復帰によりほぼ元の形状に弾性復帰し、その両係止爪１６，１６の前側面１６ａ，１６ａが取付孔２４の裏側の外周縁に当接して係止し、同時に各位置決めピン２３が各位置決め孔２５に挿入され入賞装置Ａが取付孔２４に嵌入固定されることとなる。前記受止部２０の裏面は図９に示すように遊技盤Ｂの裏面よりやや内側に位置しており、係止爪１６の受止部２０から取付孔２４裏側の外周縁への移動がスムーズに行なえ、しかも弾性腕１５は常に正位置に配置されかつ過度の力も加わらないことから、所定の弾発力を常時発揮して入賞装置Ａをしっかりと固定する。
【００１９】
また、パチンコホールに設置されるパチンコ遊技機にあっては、入賞装置Ａの補修・交換作業を行う必要が有るが、この場合は、遊技盤Ｂの裏側から両弾性腕１５，１５を摘み、取付孔２４を通過できる程度に互いに内側へ撓ませて入賞装置Ａを取付孔２４の前側へ引き抜けばよい。また、入賞装置Ａを遊技盤Ｂに取り付けるにも、前記と同様にして取付孔２４に嵌入固定することができる。このように、取付基板１の前面側から入賞装置Ａを簡単に取り付け、取り外しができ、しかも入賞装置を固定するための弾性腕が折損したりへたりを起したりすることなく長く使用できる。
【００２０】
本実施の形態にあっては、両弾性腕１５，１５が係合部材１４に一体に設けられ、該係合部材１４を別個に形成し枠体５にビス１８，１８締めして持着するようにしたが、箱体７と両弾性腕１５，１５を一体に成形することも可能である。すなわち、図１０に示すように箱体７の裏面両側の所定位置に後方へ突出する隆起部２６を一体に成形し、更に、該隆起部２６の上・下両端に、箱体７の側壁外面に沿って配置されると共に枠体５の軸方向であって前側方に向きかつ側面弧状をなす一対の弾性腕１５ａ，１５ａを一体に成形する。この場合、両弾性腕１５ａ，１５ａの係止爪１６先端が、受止部２０に突き当るようにしても良いが、設計が可能な範囲内で、受止部２０を設けることなく横長環状枠６の後端面に突き当るようにしても良い。また、この際、係止爪１６先端が突き当る横長環状枠６の後端面部位６ａは内側に傾斜する傾斜面にしておくことが望ましい。これは、弾性腕１５ａが撓むとき、引っかかりなくスムーズにその動作が行なえるようにするためである。
【００２１】
本発明にあっては盤面部品として入賞装置Ａについて説明したが、他に風車、一般入賞口、ランプ飾りなど他の盤面部品についても同様に利用できる。よって、本実施の形態にあっては、入賞装置Ａであることから枠体５を取付基板１裏面の横長環状枠６と該横長環状枠６内に嵌合する箱体７とからなる構成としたが、風車や一般入賞口ではこの様な構成とは異なるので、これらの場合を含め枠体５とは取付孔２４に嵌入する部分全体を示すものであって、しかも弾性腕１５が枠体５と一体または別体いずれに成形されていても良いこと勿論である。
【００２２】
【発明の効果】
以上述べたように本発明に係るパチンコ遊技機の盤面部品は、遊技盤面の取付孔に嵌め込まれる枠体に盤面部品の前側方へ向いて張り出され前記取付孔の所定位置に係止する合成樹脂製の弾性腕を設けてなる盤面部品であって、前記弾性腕は、枠体が取付孔に嵌め込まれて撓むとき、その先端が枠体に設けた受止部または枠体の一部に突き当たって規制され、前方向へ無用に伸びないように配設されているので、弾性腕が折損してその取替に余分な労力や時間を費す必要がない。また、弾性腕は常に正位置にセットされ弾性力が失せることなく、このためへたってガタを生ずることもなく、安定した状態で長期に亘り使用でき経済的にも優れるという効果を有する。
【図面の簡単な説明】
【図１】本発明に係る入賞装置の表側から見た斜視図。
【図２】同裏側から見た斜視図。
【図３】同分解斜視図。
【図４】係合部材の斜視図。
【図５】入賞装置の要部の拡大斜視図。
【図６】遊技盤の一部の斜視図。
【図７】入賞装置の取付手順を示す断面作用図。
【図８】入賞装置の取付手順を示す断面作用図。
【図９】入賞装置の取付手順を示す断面作用図。
【図１０】他の実施の形態に係る入賞装置の遊技盤に取付けた状態を示す断面図。
【図１１】従来の表示装置の取付手順を示す断面作用図。
【符号の説明】
５              枠体
１５            弾性腕
２０            受止部
２４            取付孔
Ａ              盤面部品（入賞装置）
Ｂ              遊技盤
【図１】
0004332248.tif 000002
【図２】
0004332248.tif 000003
【図３】
0004332248.tif 000004
【図４】
0004332248.tif 000005
【図５】
0004332248.tif 000006
【図６】
0004332248.tif 000007
【図７】
0004332248.tif 000008
【図８】
0004332248.tif 000009
【図９】
0004332248.tif 000010
【図１０】
0004332248.tif 000011
【図１１】
0004332248.tif 000012